(57)【特許請求の範囲】
【請求項１】
液透過性のトップシートと、液不透過性のバックシートと、両シート間において股下部相当位置に配設される実質的に縦長の液体保持性の吸収体とを具備するパンツ型吸収性物品であって、上記吸収体には、その長手方向に延びる少なくとも一本の縦溝が該吸収体の臀部相当位置における上記バックシート側に形成されており、かつ上記パンツ型吸収性物品のバックシート側には、臀部相当位置に、上記縦溝と少なくとも交差する方向に伸縮性を有する弾性部材が配設されているパンツ型吸収性物品。
【請求項２】
上記弾性部材が少なくとも１本の糸状の弾性部材である請求項１記載のパンツ型吸収性物品。
【請求項３】
上記縦溝は、上記吸収体の縁まで設けられている請求項１記載のパンツ型吸収性物品。
【請求項４】
上記縦溝は、吸収体の長手方向中心線と平行な方向からやや傾いて直線状に延長する２本の縦溝を含む請求項１〜３のいずれかに記載のパンツ型吸収性物品。
【発明の詳細な説明】
【０００１】
【発明の属する技術分野】
本発明は、股下部から臀部の窪みにかけて十分に密着するパンツ型吸収性物品に関する。
【０００２】
【従来の技術及び発明が解決しようとする課題】
一般に、液透過性のトップシートと、液不透過性のバックシートと、両シート間に介在された液体保持性の吸収体とを具備したパンツ型の使い捨ておむつが知られている。
【０００３】
このような使い捨ておむつは、尿や人体から排出される固形分をも効果的に吸収捕捉することができるように、特に股下部における臀部において、吸収体との間に所定の隙間を設けることが好ましいとされている。しかし、生理用、失禁用、就寝時用としては、股下部における特に臀部の窪みに吸収体が十分に密着しないため、体液が体に沿って流れてしまい漏れを生ずることになる。
【０００４】
本発明は、経血や尿等の排出された体液を効果的に吸収することができ、特に股下部から臀部にかけて体の窪みに沿って密着するパンツ型吸収性物品を提供することを目的とする。
【０００５】
【課題を解決するための手段】
本発明は、液透過性のトップシートと、液不透過性のバックシートと、両シート間において股下部相当位置に配設される実質的に縦長の液体保持性の吸収体とを具備するパンツ型吸収性物品であって、上記吸収体には、その長手方向に延びる少なくとも一本の縦溝が該吸収体の臀部相当位置における上記バックシート側に形成されており、かつ上記パンツ型吸収性物品のバックシート側には、臀部相当位置に、上記縦溝と少なくとも交差する方向に伸縮性を有する弾性部材が配設されているパンツ型吸収性物品を提供することにより、上記目的を達成したものである。
【０００６】
ここで、縦溝が弾性部材と交差するようにして延長する長手方向とは、必ずしも吸収体の長手方向中心線と平行な方向のみを意味するものではなく、当該長手方向に相当長さ延長するものであれば、上記長手方向中心線と傾いた方向をも含むものである。また、上記縦溝は、その縦溝断面が吸収体の外側面から少なくとも凹状にへこんだ部分を備えていれば良く、その断面が吸収体の内側面まで貫通する形状も含むものである。
【０００７】
【発明の実施の形態】
本発明のパンツ型吸収性物品を、その好ましい実施形態について説明する。パンツ型吸収性物品１０は、図１〜３に示すように、着用時における内側に位置する液透過性のトップシート１１と、着用時における外側に位置する液不透過性のバックシート１２と、両シート１１，１２間において着用時における股下部相当位置に配設される実質的に縦長の液体保持性の吸収体１３とからなり、ウエスト部１４にはウエストギャザーを形成するウエスト弾性部材１７が、レッグ部にはレッグギャザーを形成するレッグ弾性部材１８が各々配設されている。
【０００８】
また、本実施形態によれば、吸収体１３の臀部相当位置におけるバックシート１２側すなわち外面側には、長手方向に延長する二本の縦溝２０が形成されており、また、この縦溝２０と交差するようにして、上記各弾性部材１７，１８とは異なる５本の弾性部材１６が、バックシート側において横方向に延長配設されている。
【０００９】
液透過性のトップシート１１や液不透過性のバックシート１２は、従来のパンツ型の使い捨ておむつに使用されていたものと同様のもので、これらの間に、熱溶着やホットメルト剤等を介して、縦長の吸収体１３を、着用時における股下部相当位置に固着する。またトップシート１１とバックシート１２は、その周縁部分を熱溶着などにより接合して一体化されている。
【００１０】
また、吸収体１３は、生理用ナプキン、失禁用パッド、おむつ等に採用される、フラッフパルプ、吸収紙、高吸収性ポリマー等の、従来より吸収体を構成する材料として公知のものを特に制限なく用いて形成することができ、これを必要に応じて液透過性の表面シートや液不透過性の裏面シートで覆って使用する。この実施形態によれば、吸収体１３の縦長帯状の中央部分には、その周囲の部分より坪量が実質的に高くなった隆起部１３ａが形成されていて、装着時において、股下部のうち特に臀部におけるさらに良好な密着感が得られるようになっている。
【００１１】
吸収体１３は、２．５ｇ／ｃｍ2 荷重下における隆起部１３ａの厚みが７ｍｍで、これら周囲の部分の厚みが４ｍｍとなっており、その差が３ｍｍとなっている。なお、隆起部１３ａの厚みは３〜１５ｍｍであることが好ましく、５〜１２ｍｍであることがより好ましい。また、隆起部１３ａの周囲の厚みは１〜１０ｍｍであることが好ましく、２〜７ｍｍであることがより好ましい。さらに、これらの厚みの差は、２〜１０ｍｍであることが好ましく、２〜７ｍｍであることがより好ましい。
【００１２】
吸収体１３の臀部相当位置におけるバックシート１２側に形成される二本の縦溝２０は、エンボス加工、熱プレス加工等によって形成され、吸収体１３の長手方向中心線と平行な方向からやや傾いて当該長手方向に直線状に延長し、臀部相当位置においてパンツ型吸収性物品１０のバックシート１２側に延長配設された上記弾性部材１６と交差すると共に、その端部が吸収体１３の長手方向の一端縁部に至っている。なお、縦溝２０の深さは、十分な可撓性を得るためには吸収体１３の厚みの２０％以上が好ましく、４０〜６０％が一層好ましい。溝の幅は、１ｍｍ以上が好ましく、２〜５ｍｍが一層好ましい。溝の長さは、吸収体の全体長の２０％以上が好ましく、４０〜６０％が一層好ましい。
【００１３】
弾性部材１６は、ゴム紐等からなり、バックシート１２に沿って接着固定されることにより、吸収体１３の外面側に横方向に互いに平行に延長配設される。なお、縦溝２０と少なくとも交差する方向に伸縮性を有する弾性部材としては、シート状の伸縮性フィルム等を用いることもでき、またバックシート自体を伸縮性を有するシートとしても良い。
【００１４】
そして、本実施形態によれば、パンツ型吸収性物品１０を装着した際に、吸収体１３のバックシート１２側に形成された縦溝２０は、可撓軸として機能して、これと交差する弾性部材１６の付勢力により吸収体１３の中央部分を盛り上げるようにして変形させて股下部側に押し付けることにより、臀部の窪みにも容易かつ十分に密着することが可能になり、これによって体液や尿等の液体分を効果的に吸収することができる。また、本実施形態によれば、弾性部材１６がゴム紐等の糸状の弾性部材であることにより、加工工程上、容易にかつ効果的な変形を発生させる付勢力を得ることが可能となり、さらに縦溝２０は、吸収体の一端縁部まで設けられていることにより、常に安定した変形を得ることが可能となる。
【００１５】
本発明は上記実施形態に限定されるものではなく種々の変更が可能である。例えば、縦溝２０は、図４（ａ）〜（ｆ）に示すような種々の形状で吸収体１３の外面側に延長配設することができ、また２本に限定されることなく１本ないしは３本以上設けることもできる。また、バックシート１２の外側にはこれを覆って例えば外装不織布シートを設けることもでき、この外装不織布シートとバックシート１６との間に弾性部材１６を設けることもできる。すなわち、弾性体が配設されるのは、バックシートとは限らず、吸収体やその他の中間材とすることもできる。さらに、縦溝は、必ずしも吸収体の縁まで至らせる必要はない。
【００１６】
【発明の効果】
本発明のパンツ型吸収性物品によれば、臀部の窪みにも十分に密着して体液や尿等の液体分を効果的に吸収することができる。
【図面の簡単な説明】
【図１】本発明の実施形態に係るパンツ型吸収性物品の着用状態を示す背面図から視た斜視図である。
【図２】本発明の実施形態に係るパンツ型吸収性物品を展開して示すバックシート側から視た平面図である。
【図３】図２のＡ−Ａ線に沿った断面図である。
【図４】（ａ）〜（ｆ）は、吸収体の他の実施形態を示す外面側から視た平面図である。
【符号の説明】
１０  パンツ型吸収性物品
１１  トップシート
１２  バックシート
１３  吸収体
１４  ウエスト部
１５  レッグ部
１６  弾性部材
１７  ウエスト部弾性部材
１８  レッグ部弾性部材
２０  縦溝
【図１】
0003724963.tif 000002
【図２】
0003724963.tif 000003
【図３】
0003724963.tif 000004
【図４】
0003724963.tif 000005